(57)【特許請求の範囲】
【請求項１】
建物基礎に直接アンカーされ、上端が土台を貫通して土台上に突出した埋設アンカーボルトと、前記土台の所定位置に立設された柱脚に固着されたホールダウン金物とに介設される木造建築用接合金物であって、
該木造建築用接合金物は、所定の度合いで偏心し、上端を前記ホールダウン金物に嵌合する引き寄せアンカーボルトと、前記埋設アンカーボルトを遊嵌する手段である円環状の偏心調整金物と、前記引き寄せアンカーボルトを遊嵌する手段である円環状の偏心調整金物とから成り、また、前記２つの円環状の偏心調整金物の側面同士が溶接接合された並列２連構造を有し、
前記２つの円環状の偏心調整金物の各中心点間の距離と、前記引き寄せアンカーボルトの偏心距離とが同一であり、
平面上偏心位置にある前記埋設アンカーボルトと、前記ホールダウン金物のブラケットとの間に介設、連結することにより前記アンカーボルトと前記ホールダウン金物との間に軸引張力を伝達させるようにしたことを特徴とするホールダウン位置調整金物。
【発明の詳細な説明】
【０００１】
【発明の属する技術分野】
本発明は、木造建築用接合金物に係り、特に二階建て以上の木造建築物において、柱と基礎とを、土台を介して簡単かつ確実に緊結できるようにしたホールダウン位置調整金物に関する。
【０００２】
【従来の技術】
従来、木造住宅においては、地震や台風のような水平荷重が作用すると、耐震壁等の剛性の強い壁を支持する枠材としての柱の柱脚部の一方に大きな引き抜き力(軸引張力)が生じる（ロッキング現象等）。また、縦揺れ地震では垂直力が生じ、柱脚部に引き抜き力が生じる。この為、柱が浮き上がり抜けてしまう現象が起き、それを防止するために、Ｌ字型鋼板添え板（平成１２年建設省告示第１４６０号、表３（ろ））、Ｖ字型鋼板添え板（平成１２年建設省告示第１４６０号、表３（は））、引き寄せ金物（平成１２年建設省告示第１４６０号、表３（へ）（と）（ち））等が使用されている。
【０００３】
また、本発明と同様の金物として実用新案登録第３０２２１６９号が出願されている。
【０００４】
一例として、引き寄せ金物を使用した場合を図を用いて説明する。
【０００５】
図６は、引き寄せ金物２４を付設した引き抜き防止の一例を示した部分斜視図である。土台２１は基礎２２上に載設され埋設アンカーボルト２３が所定の位置に穿たれている。柱脚２０は土台上に固着されており土台２１と柱脚２０の固着部に柱脚２０及び土台２１に沿って引き寄せ金具２４が沿設されている。引き寄せ金具２４は柱脚２０に対してボルト２８により固着され、土台２１及び基礎２２に対しては埋設アンカーボルト２３を介して、ナット２６を用いて固着された構造となっている。
【０００６】
これによって、土台２１、基礎２２、柱脚２０を引き寄せ金具２４を介して補強することにより土台２１から柱脚２０が引き抜けるのを防止している。
【０００７】
実用新案登録３０２２１６９号の場合は、土台は基礎上に載設されており埋設アンカーボルトが所定の位置に穿たれている。また、柱脚は土台上に固着されている。柱脚の側面部にはホールダウン金物が設置されており埋設アンカーボルトとホールダウン金物の間に本考案に係る木造建築用接合金物を介設して接続されている。埋設アンカーボルトは柱の面から３１ｍｍの位置に正確に埋め込まねばならず、高い施工精度が求められている。その為、埋設アンカーボルトがずれる事があり、それを２本の引き寄せアンカーボルトを用いて位置補正を行っている。
【０００８】
【発明が解決しようとする課題】
上述のような、Ｌ字型鋼板添え板やＶ字型鋼板添え板は基礎に埋設された埋設アンカーボルトと設置されておらず、柱脚・土台のみが固着されているだけにとどまる為、強い引き抜き力が柱脚に対して加わった時、約１ｔの力が引き抜き力が加わると（１．５ｔ以上の強度のある添え板またはホールダウン金物を使用した場合）、基礎に土台を固着している他の埋設アンカーボルトとの関係で土台がせん断してしまう危険がある。
【０００９】
引き寄せ金物を使用した場合は、せん断の危険は無くなるが、埋設アンカーボルトは基礎工事の際に埋設されるものであり、その基礎上に土台が載設されることから上述したようにずれが生じてしまう事がある。その場合にはすでに孔が穿たれている引き寄せ金物の場合、埋設アンカーボルトとの接続の際に、埋設アンカーボルトに合わせた引き寄せ金物を作る等（アセチレンガスを使用して変形させる等）の不便が生じる。
【００１０】
実用新案登録３０２２１６９号にある木造建築用接合金物の場合は、埋設アンカーボルトのずれに対する位置補正が利くように設計されている。また、前述の金物に比べ、強度も非常に強いものが期待できるが、引き寄せアンカーボルトを２本使用している点で、その他の金物に比べて非常にコストがかかり、輸送時の重量、設置時の容積が増大（内壁容量が増えてる）してしまう。
【００１１】
本発明は上述のような事情よりなされたものであり、本発明の目的は、土台から柱脚を引き抜こうとする引き抜き力に対抗すべく、柱脚に設置されたホールダウン金物と基礎に固着された埋設アンカーボルトとを介設する金物に関し、埋設アンカーボルトとホールダウン金物の設置部分の位置補正ができ、よりコスト、重量及び容積を減じたホールダウン位置調整金物を提供することにある。
【００１２】
本発明は、ホールダウン位置調整金物に関し、建物基礎に直接アンカーされ、上端が土台を貫通して土台上に突出した埋設アンカーボルトと、前記土台の所定位置に立設された柱脚に固着されたホールダウン金物とに介設される木造建築用接合金物であって、
該木造建築用接合金物は、所定の度合いで偏心し、上端を前記ホールダウン金物に嵌合する引き寄せアンカーボルトと、前記埋設アンカーボルトを遊嵌する手段である円環状の偏心調整金物と、前記引き寄せアンカーボルトを遊嵌する手段である円環状の偏心調整金物とから成り、また、前記２つの円環状の偏心調整金物の側面同士が溶接接合された並列２連構造を有し、
前記２つの円環状の偏心調整金物の各中心点間の距離と、前記引き寄せアンカーボルトの偏心距離とが同一であり、
平面上偏心位置にある前記埋設アンカーボルトと、前記ホールダウン金物のブラケットとの間に介設、連結することにより前記アンカーボルトと前記ホールダウン金物との間に軸引張力を伝達させるようにしたことによって達成される。
【００１４】
【発明の実施の形態】
本発明は、土台を介して基礎に設置されている埋設アンカーボルトと柱脚を介設するホールダウン位置調整金物を提供する。基礎に設置されている埋設アンカーボルトは、土台の中心に、なおかつ柱から３１ｍｍの位置に正確に埋め込まねばならず、高い施工精度が要求されている。しかしながら基礎完成後に土台が載設される事から、上記の条件を満たす埋設アンカーボルトがずれてしまう事が多い。その際、その埋設アンカーボルトを使用し、容易に柱脚と固定するために平面上偏心位置にある両者の位置補正が行え、安価かつ容積、重量を少なくしたホールダウン位置調整金物を提供する。
【００１５】
以下に、本発明に係るホールダウン位置調整金物を図面を参照して説明する。
【００１６】
図１及び２は、本発明に係るホールダウン位置調整金物の実施の一形態を示した斜視図及び側面図である。
【００１７】
このホールダウン位置調整金物４は、基礎５に埋設された公知の埋設アンカーボルト１１と柱脚１に固着されたホールダウン金物２と、ホールダウン金物２に取付けられた引き寄せアンカーボルト６と埋設アンカーボルト１１とを自在に連結する偏心調整金物７，８とから構成されている。
【００１８】
このうち、埋設アンカーボルト１１は、図１に示したように下端にＵ字フックが形成された通常直径がφ１６ｍｍの鋼棒アンカーで、上端の所定範囲にはねじ加工が施されている。本実施例の形態では、（財）日本住宅・木材技術センターの認定規格品として公知の寸法、材質のものが使用されている。埋設部分の形状は、公知の種々の形状にできることは言うまでもない。ホールダウン金物２も、公知形状からなり、前述の規格同等品としての寸法、材質を満たすものが採用されている。
【００１９】
ホールダウン位置調整金物４は、図５ａ，５ｂに示すように偏心調整金物７，８と引き寄せアンカーボルトからなる。偏心調整金物７，８は所定の長さ肉厚鋼管パイプの側面同士を溶接接合した並列２連構造から成る。さらに偏心調整金物７，８の一方の孔に引き寄せアンカーボルト６が遊嵌され、この引き寄せアンカーボルト６を回転中心として偏心調整金物７，８は自在に回転できる。引き寄せアンカーボルト６は、水平方向に偏心しており、回転する事により埋設アンカーボルト１１とホールダウン金物２との接合部の位置補正を行い、ホールダウン金物２と埋設アンカーボルト１１とを介設する。
【００２０】
また、このホールダウン位置調整金物４は、偏心調整金物７，８の各肉厚鋼管パイプの中心間の距離と、引き寄せアンカーボルト６の偏心距離とを同一にし、なるべく強度を保ちながら埋設アンカーボルト１１のずれに対してある一定範囲以内であれば確実に位置補正できるように工夫されている。すなわち、偏心調整金物７，８のパイプ中心間距離をＰとすると、最大半径２Ｐの円の範囲内の位置ずれであれば確実に位置補正できるように工夫されている。ロッド端にはねじ切りされた引き寄せアンカーボルト６を使用し、ナット１０ａ、１０ｂの締め込み具合を調整する事により偏心調整金物の離れを任意に調整すれば良い。その為に、偏心調整金物７、８のパイプ内径はΦ１７ｍｍあり、Φ１６ｍｍの埋設アンカーボルト１１を僅かな隙間で挿通でき、挿通した際のガタもほとんど生じない。また、引き寄せアンカーボルト６の直径もΦ１６ｍｍとすることにより、偏心調整金物７，８の部品の単一化を図る事ができ、部品のコストダウンを実現できる。
【００２１】
偏心調整金物７，８の肉厚鋼管パイプ部分には、引き寄せアンカーボルト６が遊嵌されており、この引き寄せアンカーボルト６は、上端がホールダウン金物２のブラケットのボルト孔にナット９により定着される。また、柱脚土台接合部には、筋かいが筋交いプレートを介して取付けられるようになっている。ホールダウン位置調整金物４の容積が小さい事から、埋設アンカーボルト１１と引き寄せアンカーボルト６とが偏心位置にある場合でも、所定の偏心距離以内であれば、筋かいとホールダウン位置調整金物４とを同時に付設する事ができ、基礎５と柱脚１を一体的に緊結することができる。
【００２２】
図３は、埋設アンカーボルト１１と引き寄せアンカーボルト６とが異なる偏心状態にある例を示している。埋設アンカーボルト１１と引き寄せアンカーボルト６とは偏心位置調整金物７，８を用いて連結され、これにより、柱脚１を基礎５に直接緊結するようになっている。筋かいとホールダウン金物２の取り付け位置とが干渉しないようにホールダウン金物２の取付け位置を設定する事が好ましい。ホールダウン金物２が高い位置にある場合には、必要に応じて引き寄せアンカーボルト６や埋設アンカーボルト１１を遊嵌する偏心位置調整金物７，８の位置を適当に変更する事が好ましい。
【００２３】
図４は、埋設アンカーボルト１１及び引き寄せアンカーボルト６の位置関係を模式的に示した説明図である。同図に示したように偏心調整金物７，８のパイプ中心間距離をＰとすると、埋設アンカーボルト１１とホールダウン金物２との偏心距離は最大２Ｐまでの範囲をカバーできる。例えば、ハッチングを伏した部分は柱脚１と干渉する位置であるため、この範囲に埋設アンカーボルト１１が位置するような場合には、実際のアンカー取付けは行えないので、埋設アンカーボルト１１の再取付け等により対処する必要がある。
【００２４】
図５ａ，５ｂは、ホールダウン位置調整金物の部分拡大図である。図５ｂは肉厚２ｍｍの鋼管パイプ（内径φ２３．２ｍｍ）を用いて偏心調整金物７，８が製造されている。鋼管パイプの一方には偏心されている引き寄せアンカーボルト６が遊嵌されている。引き寄せアンカーボルト６の上下端部はねじきりされており、一方をホールダウン金物２へ嵌合し、一方は柔軟性を持たせるべく調整可能で偏心調整金物７へと遊嵌されている。これは直径１６ｍｍの埋設アンカーボルト１１がボルト孔内に遊嵌された際に、孔内面との隙間を塞ぎ、遊びを取り除く役割を果たす。
【００２５】
なお、コスト面、強度、粘性から考察し、鉄（ＳＳ４００，ＪＩＳ−Ｇ３１０１）を鋼材として使用した所、最大偏心状態でも約５８．９ｋＮ（約６ｔ）の強度が得られた。これは実用新案登録３０２２１６９号に記載の木造建築用接合金物と同等の強度を表わしており、省コスト、減容積、減荷重に成功している。
【００２６】
なお、本実施例に記載の数値は一般的に使用される指標であり、同様の効果を奏する物であれば限定されない。
【００２７】
【発明の効果】
以上のように、本発明に係るホールダウン位置調整金物によれば、基礎に埋設されたアンカーボルトの施工精度が低い場合でも、簡単かつ確実にホールダウン金物に連結して、基礎と柱脚とを緊結する事ができる。また、筋かいの取付け位置を確保でき、筋かい取付けを容易に行える。
【００２８】
さらには、従来に比べて部品数を減らす事により、省コスト化、減容量化、減重量に成功しており、施工後の壁が厚くなってしまう等の不具合が解消されている。しかしながら強度は以前のままを保っており、従来よりも優れたホールダウン位置調整金物を提供する。
【図面の簡単な説明】
【図１】本発明に係るホールダウン位置調整金物の実施の一例を示した斜視図である。
【図２】本発明に係るホールダウン位置調整金物の実施の一例を示した側面図である。
【図３】本発明に係るホールダウン位置調整金物による位置補正の一例を示した概略平面図である。
【図４】本発明に係るホールダウン位置調整金物による位置補正を模式的に示した模式平面図である。
【図５】本発明に係るホールダウン位置調整金物の側面図及び正面図である。
【図６】従来の引き寄せ金物の実施の一例を示した斜視図である。
【符号の説明】
１        柱脚
２        ホールダウン金物
３        土台
４        ホールダウン位置調整金物
５        基礎
６        引き寄せアンカーボルト
７        偏心調整金物
８        偏心調整金物
９        ナット
１０      ナット
１１      埋設アンカーボルト
１２      ビス
２０      柱脚
２１      土台
２２      基礎
２３      埋設アンカーボルト
２４      引き寄せ金物
２６      ナット
２８      ビス
【図１】
0003871549.tif 000002
【図２】
0003871549.tif 000003
【図３】
0003871549.tif 000004
【図４】
0003871549.tif 000005
【図５】
0003871549.tif 000006
【図６】
0003871549.tif 000007